【手続補正書】
【提出日】令和2年9月24日(2020.9.24)
【手続補正１】
【補正対象書類名】特許請求の範囲
【補正対象項目名】全文
【補正方法】変更
【補正の内容】
【特許請求の範囲】
【請求項１】
撮像システムにおける使用のための乳房圧迫パドルであって、前記乳房圧迫パドルは、
湾曲した右面と、
湾曲した左面と、
湾曲した底面と、
湾曲した前面と、
上面と、
前記湾曲した右面、前記湾曲した左面、前記湾曲した底面、前記湾曲した前面、および前記上面の隣接するものの間の遷移部であって、全ての遷移部は、鋭的縁を含まない、遷移部と
を備える、乳房圧迫パドル。
【請求項２】
前記湾曲した底面の凹面形部分を横断して前記湾曲した右面から前記湾曲した左面まで及ぶ可撓性材料をさらに備える、請求項１に記載の乳房圧迫パドル。
【請求項３】
空隙が、前記湾曲した底面の凹面形部分と前記可撓性材料との間に画定される、請求項２に記載の乳房圧迫パドル。
【請求項４】
前記可撓性材料は、前記湾曲した右面、前記湾曲した左面、前記湾曲した底面、および前記上面を囲繞する、請求項２に記載の乳房圧迫パドル。
【請求項５】
前記湾曲した右面、前記湾曲した左面、前記湾曲した前面、および前記上面のそれぞれに接続される背面をさらに備える、請求項１に記載の乳房圧迫パドル。
【請求項６】
背面をさらに備え、前記湾曲した右面および前記湾曲した左面は、前記背面および前記湾曲した前面によって画定される高さを有する略半円筒形状を有する、請求項１に記載の乳房圧迫パドル。
【請求項７】
ガスの受容のために前記背面内に配置されるガス入口ポートをさらに備え、前記乳房圧迫パドルの１つの表面の少なくとも一部は、前記ガス入口ポートと流体連通する開口部を画定する、請求項５に記載の乳房圧迫パドル。
【請求項８】
背面と、前記背面に取り付けられるブラケットとをさらに備え、前記ブラケットは、前記乳房圧迫パドルを前記撮像システムに搭載するように構成される、請求項１に記載の乳房圧迫パドル。
【請求項９】
前記可撓性材料は、間隙が、前記湾曲した底面の少なくとも一部と前記可撓性材料との間に画定されるように、前記湾曲した右面から前記湾曲した左面まで及ぶ、請求項２に記載の乳房圧迫パドル。
【請求項１０】
前記可撓性材料は、収縮包装材料である、請求項２に記載の乳房圧迫パドル。
【請求項１１】
乳房を撮像するためのシステムであって、前記システムは、
放射線源と、
非平面状の圧迫面を有する少なくとも１つの圧迫パドルであって、前記少なくとも１つの圧迫パドルは、前記乳房の撮像の間、前記乳房を圧迫するように構成される、圧迫パドルと、
前記少なくとも１つの圧迫パドルおよび前記乳房を通過した後、前記放射線源から放出される放射線を検出するように構成される検出器であって、前記検出器は、複数のピクセルを含む、検出器と、
前記検出器に動作可能に接続されるメモリおよびプロセッサであって、前記メモリは、命令を記憶しており、前記命令は、前記プロセッサによって実行されると、一連の動作を実施し、前記動作は、
前記検出器から画像データを受信することと、
前記少なくとも１つの圧迫パドルのための補正マップにアクセスすることと、
前記補正マップに基づいて前記画像データを補正し、補正された画像データを生成することと、
前記補正された画像データに基づいて、前記乳房の画像を生成することと
を含む、メモリおよびプロセッサと
を備える、システム。
【請求項１２】
前記動作はさらに、
前記画像のための画像サイズに基づいて前記補正マップをアップスケーリングすることと、
圧搾係数を適用することによって前記補正マップを修正することと、
投影角およびパドル偏移に関する前記補正マップを修正することと、
倍率に基づいて前記補正マップを修正することと
のうちの少なくとも２つを含む、請求項１１に記載のシステム。
【請求項１３】
倍率に基づいて前記補正マップを修正することは、少なくとも部分的に、前記圧迫パドルの高さに基づく、請求項１２に記載のシステム。
【請求項１４】
前記補正マップは、行列として表され、前記行列の要素は、前記検出器の対応するピクセルのための補正値を表す、請求項１１に記載のシステム。
【請求項１５】
前記行列の要素は、前記検出器の対応するピクセルの輝度値をスケーリングするための値を含む、請求項１４に記載のシステム。
【請求項１６】
前記画像データを補正することは、ピクセル毎のレベルで前記画像データを補正することを含む、請求項１１に記載のシステム。
【請求項１７】
前記動作はさらに、胸壁の約２センチメートル以内のエリアを表す前記画像の胸壁エリアをさらに補正することを含む、請求項１１に記載のシステム。
【請求項１８】
前記画像の胸壁エリアを補正することは、少なくとも傾き値および閾値に基づいてデルタ値を決定することを含む、請求項１７に記載のシステム。
【請求項１９】
前記補正マップは、
前記圧迫パドルを液体で充填し、充填パドルを作成することと、
前記充填パドルを実質的に放射線透過性の表面上に設置することであって、前記放射線透過性の表面は、検出器の撮像エリアを被覆する、ことと、
放射線を前記充填パドルおよび実質的に放射線透過性の表面を通して通過させることと、
前記充填パドルおよび実質的に放射線透過性の表面を通過した前記放射線を検出することと、
前記検出された放射線に基づいて補正画像を生成することと、
前記補正画像にわたる平均ピクセル値を識別することと、
前記補正画像内の各ピクセルを前記平均ピクセル値によって除算することによって前記補正マップを生成することと
を含む、プロセスによって生成される、請求項１１に記載のシステム。
【請求項２０】
前記補正マップを生成することはさらに、一連の多項式フィットを生成し、前記補正マップを表すことを含む、請求項１９に記載のシステム。
【手続補正２】
【補正対象書類名】明細書
【補正対象項目名】００１２
【補正方法】変更
【補正の内容】
【００１２】
本概要は、発明を実施するための形態にさらに後述される、簡略化された形態において、一連の概念を導入するために提供される。本概要は、請求される主題の重要な特徴または不可欠な特徴を識別することを意図しておらず、また、請求される主題の範囲を限定するために使用されることも意図していない。
本願明細書は、例えば、以下の項目も提供する。
（項目１）
撮像システムにおける使用のための乳房圧迫パドルであって、前記乳房圧迫パドルは、
湾曲した右面と、
湾曲した左面と、
湾曲した底面と、
湾曲した前面と、
上面と、
前記湾曲した右面、前記湾曲した左面、前記湾曲した前面、および前記上面と接触している可撓性材料であって、前記可撓性材料は、前記湾曲した底面の少なくとも一部から離間されている、可撓性材料と
を備える、乳房圧迫パドル。
（項目２）
前記可撓性材料は、前記湾曲した右面、前記湾曲した左面、前記湾曲した底面、および前記上面を囲繞する、項目１に記載の乳房圧迫パドル。
（項目３）
前記可撓性材料はさらに、前記湾曲した前面を囲繞する、項目１または２に記載の乳房圧迫パドル。
（項目４）
前記湾曲した右面、前記湾曲した左面、前記湾曲した前面、および前記上面のそれぞれに接続される背面をさらに備える、項目１−３のいずれかに記載の乳房圧迫パドル。
（項目５）
前記湾曲した右面および前記湾曲した左面は、前記背面および前記湾曲した前面によって画定される高さを有する半円筒形状を有する、項目４に記載の乳房圧迫パドル。
（項目６）
ガスの受容のために前記背面内に配置されるガス入口ポートをさらに備え、前記乳房圧迫パドルの１つの表面の少なくとも一部は、前記ガス入口ポートと流体連通する開口部を画定する、項目４または５に記載の乳房圧迫パドル。
（項目７）
前記上面は、略平坦である、項目１−６のいずれかに記載の乳房圧迫パドル。
（項目８）
背面と、前記背面に取り付けられるブラケットとをさらに備え、前記ブラケットは、前記乳房圧迫パドルを前記撮像システムに搭載するように構成される、項目１−３または７のいずれかに記載の乳房圧迫パドル。
（項目９）
前記可撓性材料は、間隙が、少なくとも前記湾曲した底面の一部と前記湾曲した底面から離間される前記可撓性材料の一部との間に画定されるように、前記湾曲した右面から前記湾曲した左面まで及ぶ、項目１−８のいずれかに記載の乳房圧迫パドル。
（項目１０）
前記可撓性材料は、乳房に対して圧迫されると、前記湾曲した底面と接触するように構成される、項目１−９のいずれかに記載の乳房圧迫パドル。
（項目１１）
前記可撓性材料は、収縮包装材料である、項目１−１０のいずれかに記載の乳房圧迫パドル。
（項目１２）
撮像システムにおける使用のための乳房圧迫パドルであって、前記乳房圧迫パドルは、
湾曲した右面と、
湾曲した左面と、
湾曲した底面と、
湾曲した前面と、
上面と、
前記湾曲した右面、前記湾曲した左面、前記湾曲した底面、前記湾曲した前面、および前記上面の隣接するものの間の遷移部であって、全ての遷移部は、鋭的縁を含まない、遷移部と
を備える、乳房圧迫パドル。
（項目１３）
前記湾曲した底面の凹面形部分を横断して前記湾曲した右面から前記湾曲した左面まで及ぶ可撓性材料をさらに備える、項目１２に記載の乳房圧迫パドル。
（項目１４）
空隙が、前記湾曲した底面の凹面形部分と前記可撓性材料との間に画定される、項目１３に記載の乳房圧迫パドル。
（項目１５）
前記可撓性材料は、前記湾曲した右面、前記湾曲した左面、前記湾曲した底面、および前記上面を囲繞する、項目１３−１４のいずれかに記載の乳房圧迫パドル。
（項目１６）
前記可撓性材料はさらに、前記湾曲した前面を囲繞する、項目１５に記載の乳房圧迫パドル。
（項目１７）
前記湾曲した右面、前記湾曲した左面、前記湾曲した前面、および前記上面のそれぞれに接続される背面をさらに備える、項目１２−１６のいずれかに記載の乳房圧迫パドル。
（項目１８）
背面をさらに備え、前記湾曲した右面および前記湾曲した左面は、前記背面および前記湾曲した前面によって画定される高さを有する略半円筒形状を有する、項目１２−１６のいずれかに記載の乳房圧迫パドル。
（項目１９）
ガスの受容のために前記背面内に配置されるガス入口ポートをさらに備え、前記乳房圧迫パドルの１つの表面の少なくとも一部は、前記ガス入口ポートと流体連通する開口部を画定する、項目１７または１８に記載の乳房圧迫パドル。
（項目２０）
前記上面は、略平坦であることと、前記湾曲した底面と同様に湾曲していることとのうちの少なくとも一方である、項目１２−１９のいずれかに記載の乳房圧迫パドル。
（項目２１）
背面と、前記背面に取り付けられるブラケットとをさらに備え、前記ブラケットは、前記乳房圧迫パドルを前記撮像システムに搭載するように構成される、項目１２−２０のいずれかに記載の乳房圧迫パドル。
（項目２２）
前記可撓性材料は、間隙が、前記湾曲した底面の少なくとも一部と前記可撓性材料との間に画定されるように、前記湾曲した右面から前記湾曲した左面まで及ぶ、項目１３−１６のいずれかに記載の乳房圧迫パドル。
（項目２３）
前記可撓性材料は、乳房に対して圧迫されると、前記湾曲した底面と接触するように構成される、項目１３−１６または２２のいずれかに記載の乳房圧迫パドル。
（項目２４）
前記可撓性材料は、収縮包装材料である、項目１３−１６または２２−２３のいずれかに記載の乳房圧迫パドル。
（項目２５）
撮像システムであって、
撮像源と、
撮像レセプタと、
乳房圧迫要素であって、前記乳房圧迫要素は、
複数の湾曲した側面と、
平滑な遷移部を間に伴って前記複数の湾曲した側面のそれぞれに接続される前面と、
前記複数の湾曲した側面を接続する圧迫面と、
前記圧迫面の反対側に配置され、前記複数の湾曲した側面を接続する非圧迫面と
を備える、乳房圧迫要素と、
を備える、撮像システム。
（項目２６）
前記乳房圧迫要素は、前記撮像システムから除去可能なパドルを備える、項目２５に記載の撮像システム。
（項目２７）
前記乳房圧迫要素は、乳房支持プラットフォームを備える、項目２５に記載の撮像システム。
（項目２８）
前記乳房圧迫要素は、少なくとも部分的に中空である、項目２５、２６、または２７に記載の撮像システム。
（項目２９）
前記撮像レセプタは、前記乳房圧迫要素内に配置される、項目２５−２８のいずれかに記載の撮像システム。
（項目３０）
前記撮像レセプタは、前記乳房圧迫要素内に移動可能に配置される、項目２５−２９のいずれかに記載の撮像システム。
（項目３１）
前記乳房圧迫要素は、複数の乳房圧迫要素を備える、項目２５−３０のいずれかに記載の撮像システム。
（項目３２）
前記撮像源は、中心点を有する撮像弧に沿って移動するように構成され、前記圧迫面の弧形状は、前記撮像弧の中心点と実質的に同一の場所に中心点を有する、項目２５−３１のいずれかに記載の撮像システム。
（項目３３）
乳房を撮像するためのシステムであって、前記システムは、
放射線源と、
非平面状の圧迫面を有する少なくとも１つの圧迫パドルであって、前記少なくとも１つの圧迫パドルは、前記乳房の撮像の間、前記乳房を圧迫するように構成される、圧迫パドルと、
前記少なくとも１つの圧迫パドルおよび前記乳房を通過した後、前記放射線源から放出される放射線を検出するように構成される検出器であって、前記検出器は、複数のピクセルを含む、検出器と、
前記検出器に動作可能に接続されるメモリおよびプロセッサであって、前記メモリは、命令を記憶しており、前記命令は、前記プロセッサによって実行されると、一連の動作を実施し、前記動作は、
前記検出器から画像データを受信することと、
前記少なくとも１つの圧迫パドルのための補正マップにアクセスすることと、
前記補正マップに基づいて前記画像データを補正し、補正された画像データを生成することと、
前記補正された画像データに基づいて、前記乳房の画像を生成することと
を含む、メモリおよびプロセッサと
を備える、システム。
（項目３４）
前記動作はさらに、
前記画像のための画像サイズに基づいて前記補正マップをアップスケーリングすることと、
圧搾係数を適用することによって前記補正マップを修正することと、
投影角およびパドル偏移に関する前記補正マップを修正することと、
倍率に基づいて前記補正マップを修正することと
のうちの少なくとも２つを含む、項目３３に記載のシステム。
（項目３５）
倍率に基づいて前記補正マップを修正することは、少なくとも部分的に、前記圧迫パドルの高さに基づく、項目３４に記載のシステム。
（項目３６）
前記補正マップは、行列として表され、前記行列の要素は、前記検出器の対応するピクセルのための補正値を表す、項目３３−３５のいずれかに記載のシステム。
（項目３７）
前記行列の要素は、前記検出器の対応するピクセルの輝度値をスケーリングするための値を含む、項目３６に記載のシステム。
（項目３８）
前記画像データを補正することは、ピクセル毎のレベルで前記画像データを補正することを含む、項目３３−３７いずれかに記載のシステム。
（項目３９）
前記動作はさらに、胸壁の約２センチメートル以内のエリアを表す前記画像の胸壁エリアをさらに補正することを含む、項目３３−３８のいずれかに記載のシステム。
（項目４０）
前記画像の胸壁エリアを補正することは、少なくとも傾き値および閾値に基づいてデルタ値を決定することを含む、項目３９に記載のシステム。
（項目４１）
前記補正マップは、
前記圧迫パドルを液体で充填し、充填パドルを作成することと、
前記充填パドルを実質的に放射線透過性の表面上に設置することであって、前記放射線透過性の表面は、検出器の撮像エリアを被覆する、ことと、
放射線を前記充填パドルおよび実質的に放射線透過性の表面を通して通過させることと、
前記充填パドルおよび実質的に放射線透過性の表面を通過した前記放射線を検出することと、
前記検出された放射線に基づいて補正画像を生成することと、
前記補正画像にわたる平均ピクセル値を識別することと、
前記補正画像内の各ピクセルを前記平均ピクセル値によって除算することによって前記補正マップを生成することと
を含む、プロセスによって生成される、項目３３−４０のいずれかに記載のシステム。
（項目４２）
前記補正マップを生成することはさらに、一連の多項式フィットを生成し、前記補正マップを表すことを含む、項目４１に記載のシステム。
（項目４３）
方法であって、
中空パドルを液体で充填し、充填パドルを作成することと、
前記充填パドルを実質的に放射線透過性の表面上に設置することであって、前記放射線透過性の表面は、検出器の撮像エリアを被覆する、ことと、
放射線を前記充填パドルおよび実質的に放射線透過性の表面を通して通過させることと、
前記充填パドルおよび実質的に放射線透過性の表面を通過した前記放射線を検出することと、
前記検出された放射線に基づいて補正画像を生成することと、
前記補正画像にわたる平均ピクセル値を識別することと、
前記補正画像内の各ピクセルを前記平均ピクセル値によって除算することによって補正マップを生成することと
を含む、方法。
（項目４４）
前記方法はさらに、一連の多項式フィットを生成し、前記補正マップを表すことを含む、項目４３に記載の方法。
（項目４５）
前記一連の多項式フィットを生成することは、
前記検出器の画像列（ｘ）毎に、前記検出器の行（ｙ）に沿った点を選択することと、
前記選択された点を多項式関数にフィットさせ、一連のフィットされた点を生成することと、
を含み、前記補正マップを生成することはさらに、前記フィットされた点に基づいてフィットされた画像を生成することを含む、項目４４に記載の方法。
（項目４６）
前記多項式関数は、４次多項式である、項目４５に記載の方法。
（項目４７）
前記補正マップを生成することはさらに、
ボックスカー平均化法を使用して、前記フィットされた画像を平滑化することと、
デシメーションを使用して、前記フィットされた画像をダウンスケーリングすることと
を含む、項目４５−４６のいずれかに記載の方法。
（項目４８）
前記液体は、水であり、前記実質的に放射線透過性の材料は、約４センチメートルの厚さを有する、ルーサイトブロックである、項目４３−４７のいずれかに記載の方法。
（項目４９）
乳房の画像を生成するためのコンピュータ実装方法であって、前記方法は、
放射線検出器から画像データを受信することと、
非平面状の圧迫面を有する少なくとも１つの圧迫パドルのための補正マップにアクセスすることと、
前記補正マップに基づいて画像データを補正し、補正された画像データを生成することと、
前記補正された画像データに基づいて前記乳房の画像を生成することと
を含む、方法。
（項目５０）
前記画像のための画像サイズに基づいて前記補正マップをアップスケーリングすることと、
圧搾係数を適用することによって前記補正マップを修正することと、
投影角およびパドル偏移に関する前記補正マップを修正することと、
倍率に基づいて前記補正マップを修正することと
のうちの少なくとも２つをさらに含む、項目４９に記載の方法。
（項目５１）
前記補正マップは、行列であり、前記行列の要素は、前記検出器の対応するピクセルのための補正値を表す、項目４９−５０のいずれかに記載の方法。
（項目５２）
前記画像データを補正することは、ピクセル毎のレベルで前記画像データを補正することを含む、項目４９−５１のいずれかに記載の方法。